(57)【要約】【課題】  通話中に回線の異常切断が生じた場合に、自動的に極力早くもとの通話状態に戻ることができる電話用携帯端末機を提供する。【解決手段】  電話用移動端末機であって、通話中に圏外や電波状態が悪化して無線回線の異常切断が発生した場合に、内蔵されているマイクロプロセッサ制御によって、異常切断する前の通話状態に戻る通話復帰手段を構成するようにした。【選択図】          図４
2006311197.tif 000002
【特許請求の範囲】
【請求項１】
電話用移動端末機であって、
通話中に圏外や電波状態が悪化して無線回線の異常切断が発生した場合に、内蔵されているマイクロプロセッサ制御によって、異常切断する前の通話状態に戻る通話復帰手段を構成するようにしたことを特徴とする電話用移動端末機。
【請求項２】
請求項１に記載の電話用移動端末機において、前記通話復帰手段は、前記異常切断前の通話状態に戻るために、発信履歴か着信履歴のいずれか一方における最新の履歴の番号を発信番号として発信することを特徴とする電話用移動端末機。
【発明の詳細な説明】
【技術分野】
【０００１】
本発明は、携帯電話やＰＨＳなどの無線を使用する電話用移動端末機に関し、特に、無線回線の異常により回線に切断が生じた場合に、リダイヤルを行うことにより、切断前の通話状態に自動復帰できるようにした電話用移動端末機に関するものである。
【背景技術】
【０００２】
従来、通信中に圏外移動や或いは無線回線の状態が悪くなり通話が切断されてしまった場合、通話を継続して行おうとするユーザは、携帯端末機の表示部に表示されている圏内／圏外の表示や或いはアンテナバー（受信電界強度インジケータ）の表示状態を確認し、通話ができそうであれば再度ダイヤル発信する操作を行う。
【発明の開示】
【発明が解決しようとする課題】
【０００３】
しかしながら、回線切断が生じるたびに、ダイヤル発信操作をユーザが行っていたのでは、電話用携帯端末機の操作性が悪く、切断後に極力迅速に元の通話状態に戻りたいという要求にこたえることができないという問題がある。さらに、イヤホンマイクなどを使用し通話をしながら作業（両手が塞がっている）している場合には、異常切断後ダイヤル操作が出来ないという不便さがあった。
【０００４】
本発明は、上述した課題を解決するためになされたものであり、通話中に回線の異常切断が生じた場合に、自動的に極力早くもとの通話状態に戻ることができる電話用携帯端末機を提供することを目的としている。
【課題を解決するための手段】
【０００５】
上述した課題を解決するため、本発明は、例えば携帯電話やＰＨＳのような電話用移動端末機であって、通話中に圏外や電波状態が悪化して無線回線の異常切断が発生した場合に、内蔵されているマイクロプロセッサ制御によって、異常切断する前の通話状態に戻る通話復帰手段を構成するようにしたことを特徴とする。
【０００６】
また、本発明において、前記通話復帰手段は、前記異常切断前の通話状態に戻るために、発信履歴か着信履歴のいずれか一方における最新の履歴の番号を発信番号として発信することを特徴とする。
【発明の効果】
【０００７】
上述したように、本発明によれば、通話中に、圏外に移動したり、電界状態が悪くなり通話が切断されても、速やかにもとの通話状態に復帰することができ、もって、利便性が向上し、通話をしながら作業を行い、手が塞がっているときにはユーザによる発信操作を行なわなくても元の通話に戻ることができるという効果を奏する。
【発明を実施するための最良の形態】
【０００８】
以下、本発明の実施の形態を図面を用いて説明する。
図１は、本発明の実施の形態における電話用携帯端末機を示すブロック図である。この携帯端末機は、表示部１と、操作部２と、無線部３と、ベースバンド部４と、制御部５を備える。これらのハードウェア構成は公知の技術と同じであるが、制御部５に備えられるメモリ５ａ中に、新たに最新ダイヤルレジスタ５ａ−１と称する領域を構成している。
【０００９】
本発明の構成はこの制御部５（マイクロコンピュータとメモリ及びその周辺デバイス）を動作させるプログラムを、該制御部５のハードウェア構成と協働させることにより実現する。
【００１０】
本発明の実施の形態では、制御部５に備えられるメモリ中に、新たに最新ダイヤルレジスタ５ａ−１と称する領域を構成し、上記プログラムによりこの最新ダイヤルレジスタ５ａ−１に記憶された発信番号を用いて、回線の異常切断が生じた場合にリダイヤルを行うようにしたものである。
【００１１】
以下、本発明の実施の形態の動作について説明する。
図２は、ダイヤル発信処理を示すフローチャートである。
通常のダイヤル発信時は、ダイヤル番号に発信するダイヤル発信処理を行い（Ｓ２−１）、発信した番号を最新ダイヤルレジスタに格納する処理を行なう（Ｓ２−２）。これにより常に最新の発信履歴ダイヤルが最新ダイヤルレジスタに格納される。
【００１２】
図３は、着信処理の動作を示すフローチャートである。
通常の着信時は着信処理を行い（Ｓ３−１）、着信時に通知される発信者番号を最新ダイヤルレジスタに格納する処理を行なう（３−２）。これにより常に最新の（着信時の）相手先ダイヤルがダイヤルレジスタに格納される。
【００１３】
ダイヤル発信処理と着信処理がそれぞれ行なわれると、最新ダイヤルレジスタ５ａ−１には常に現在通話している相手先のダイヤルが格納されることになる。
【００１４】
図４は通話中に異常切断が行われた場合の復帰処理の動作を示すフローチャートである。この異常切断は、通話中に圏外や電界状態悪化などで生じる場合がある。
【００１５】
オンフック（終話）操作による切断や基地局からの切断（正常切断）時は本処理は動作しない。異常切断した場合はまず、最新ダイヤルレジスタから番号を取り出し発信を行なう（Ｓ４−１）。この発信により基地局と正常に接続できたか判定を行なう（Ｓ４−２）。接続できれば（Ｓ４−２，Ｙ）異常切断する前に通話していた相手と再び通話ができる状態となったとして、本処理を終了する。
【００１６】
一方、接続できなかった場合（Ｓ４−２，Ｎ）は、一旦発信を切断する（４−３）。さらにリトライカウントを更新して（４−４）、リトライカウントオーバーするまで発信を試みる（４−５）。リトライカウントオーバーしていなければ（Ｓ４−５，Ｎ）タイマを設定し（４−６）、一定時間待つ（４−７）。
【００１７】
タイマがタイムアップすれば、再度最新ダイヤルレジスタ５ａ−１から番号を取り出し発信を行なう（Ｓ４−１）。
【００１８】
なお、リトライカウントが所定の値よりも大きくなった場合、即ちカウントオーバした場合（Ｓ４−５，Ｙ）はしばらく復帰できないものとして、処理を終了する。
【図面の簡単な説明】
【００１９】
【図１】本発明の実施の形態を示すブロック図である。
【図２】ダイヤル発信処理動作を示すフローチャートである。
【図３】着信処理動作を示すフローチャートである。
【図４】通話状態への復帰処理動作を示すフローチャートである。
【符号の説明】
【００２０】
１  表示部、２  操作部、３  無線部、４  ベースバンド部、５  制御部、５ａ  メモリ、５ａ−１  最新ダイヤルレジスタ。
【図１】
2006311197.tif 000003
【図２】
2006311197.tif 000004
【図３】
2006311197.tif 000005
【図４】
2006311197.tif 000006